(57)【特許請求の範囲】
【請求項１】
バイオセンサが装置本体に着脱可能に設けられた測定装置であって、  上記バイオセンサは、生体試料を吸引する吸引路、生体試料の測定対象物質の濃度を測定する測定電極および生体試料の吸引完了を検知する検知電極を備えてなり、  上記装置本体は、電源、電源ボタン、カラー液晶ディスプレイ、バイオセンサが挿入される挿入口および該挿入口周辺を照明する光源を備えてなり、  上記光源は、上記電源ボタンが押下されて上記電源がオンにされたときに点灯し、かつ、上記バイオセンサが上記装置本体に装着された後、生体試料を上記バイオセンサの上記検知電極が検知した後に消灯する測定装置。
【請求項２】
上記挿入口には、上記装置本体を上記カラー液晶ディスプレイが配置された面を正面として視た場合の下辺において、上方へ切り欠かれた切り欠き形状が形成されており、  上記光源は、上記挿入口の切り欠き形状の周縁に沿って設けられている請求項１に記載の測定装置。
【発明の詳細な説明】
【技術分野】
【０００１】
本発明は、生体試料中の測定対象物質の濃度を測定する測定装置に関する。
【背景技術】
【０００２】
近年、糖尿病の患者が各国において増加している。糖尿病の治療としては、例えば、インスリン療法がある。インスリンは血糖値をコントロールする薬物として知られており、糖尿病の治療薬として糖尿病患者に投与されている。インスリンを投与する必要性は、糖尿病患者の血糖値に基づいて判断される。このため、糖尿病患者にとって、血糖値の把握が重要である。血糖値とは、血液中のグルコース濃度である。糖尿病患者自らが自分の血糖値を簡易に測定できることを目的として、簡易な血糖測定装置が開発されている（特許文献１および２参照）。
【先行技術文献】
【特許文献】
【０００３】
【特許文献１】特開２０１１−２０３０３２号公報
【特許文献２】特開２０１２−０１８０１０号公報
【発明の概要】
【発明が解決しようとする課題】
【０００４】
従来、このような測定装置の液晶画面はモノクロデジタル液晶であり、暗所で測定する場合には、このモノクロ液晶を照らす光源が必要となる。また、測定時にはバイオセンサを挿入する位置の確認、生体試料を吸引するためのバイオセンサにおける吸引路の確認のためにも必要とされる。このことから、光源は装置の電源がオンになってから測定終了までの長時間継続して点灯させる必要があった。したがって、測定装置の消費電力量が多くなり、ユーザーは頻繁な充電または電池の交換を余儀なく実施していた。【０００５】
本発明の課題は、消費電力量を抑えた測定装置を提供することである。
【課題を解決するための手段】
【０００６】
本発明者らは、カラー液晶ディスプレイを導入した測定装置においては、そのカラー液晶ディスプレイ自体が十分な明るさを有することを鑑みて本発明を完成させた。【０００７】
本発明は、バイオセンサが装置本体に着脱可能に設けられた測定装置であって、上記バイオセンサは、生体試料を吸引する吸引路、生体試料の測定対象物質の濃度を測定する測定電極および生体試料の吸引完了を検知する検知電極を備えてなり、上記装置本体は、電源、カラー液晶ディスプレイ、バイオセンサが挿入される挿入口および該挿入口周辺を照明する光源を備えてなり、上記光源は、上記電源がオンにされたときに点灯し、かつ、上記バイオセンサが上記装置本体に装着された後、生体試料を上記バイオセンサの上記検知電極が検知した後に消灯するものである。
【発明の効果】
【０００８】
本発明によれば、消費電力量を抑えた測定装置を提供することができる。
【図面の簡単な説明】
【０００９】
【図１】図１は、本発明の実施形態に係る測定装置１０の外観を示す斜視図である。
【発明を実施するための形態】
【００１０】
以下、図面が参照されつつ本発明の実施形態が説明される。なお、本実施形態は、本発明の一例にすぎず、本発明の要旨が変更されない範囲において、本実施形態が適宜変更されてもよいことは言うまでもない。
【００１１】
［測定装置１０］
図１に示されるように、測定装置１０は、バイオセンサ１１と装置本体１２とを有する。バイオセンサ１１が装置本体１２の挿入口１３に差し込まれることによって、バイオセンサ１１と装置本体１２とが電気的に接続される。バイオセンサ１１は、１回の測定毎に取り替えられるものである。
【００１２】
測定装置１０により測定される生体試料の測定対象物質は、特に限定されるものではなく、例えば、血中に存在するグルコース（血糖）、ヘモグロビン、糖化ヘモグロビン、コルチゾールおよび種々の医薬品の有効成分や、唾液中に存在するコルチゾールおよびアミラーゼなどが挙げられる。特に血中グルコース濃度（血糖）を測定する測定装置は多く普及している。
【００１３】
［バイオセンサ１１］
図１に示されるように、バイオセンサ１１は、細長なシート形状であることが一般的である。バイオセンサ１１の長手方向１０１の一端が、装置本体１２の挿入口１３に差し込まれることによって、バイオセンサ１１が装置本体１２に装着される。また、バイオセンサ１１が長手方向１０１に引き抜かれることによって、バイオセンサ１１が装置本体１２から取り外される。
【００１４】
バイオセンサ１１は、生体試料を吸引する吸引路４１、生体試料の測定対象物質の濃度を測定する測定電極３３，３７および生体試料の吸引完了を検知する検知電極３９を備える。この構成は、バイオセンサの分野においてごく一般的な構成である。吸引路４１は、生体試料がバイオセンサ１１の外部から測定電極３３，３７を経由して検知電極３９に至る構成を為す。検知電極３９は、当該検知電極３９まで達した生体試料の有無を電気的に検知するための電極である。一旦、検知電極３９により生体試料の存在を検知したら、ユーザーはもはや測定装置における挿入口１３の位置や生体試料を吸引するためのバイオセンサ１１における吸引路４１の位置を確認する必要はなくなる。
【００１５】
なお、測定電極３３，３７および検知電極３９における電極の種類や、測定電極３３，３７に用いる試薬等については、測定対象物質によって当業者が適宜選択できるものである。例えば、測定対象物質が血中グルコース（血糖）である場合、電極材料は金、白金、銀およびカーボン等を用いることができ、測定系に用いる試薬としてはグルコースデヒドロゲナーゼ並びにグルコースオキシダーゼ等の酵素、およびフェリシアンカリウム並びにヘキサアミノルテニウム等の電子メディエータ等が好適に選択される。
【００１６】
［装置本体１２］
図１に示されるように、装置本体１２は、筐体５０に電子部品が収容された電子装置である。筐体５０の表側には、カラー液晶ディスプレイ５１、電源ボタン５２，操作ボタン５３，５４，５５、バイオセンサ１１を挿入する挿入口１３、および挿入口１３の周囲に設けられた光源１４が配置されている。また、各図には現れていないが、筐体５０の内部には、電源、電圧印加手段、電流測定手段、そしてこれらを制御する制御基板等が内蔵されている。操作ボタン５３，５４、５５からの入力に応じて、制御基板は、予めＲＯＭに格納されたプログラムを動作させる。さらに、制御基板は、所定の電位に応答してバイオセンサ１１に流れた電流値から生体試料中の測定対象濃度を演算する。演算された生体試料中の測定対象濃度は、カラー液晶ディスプレイ５１に表示される。
【００１７】
カラー液晶ディスプレイ５１は、装置本体１２の状態や測定結果、エラー表示などを行う。電源ボタン５２は、装置本体１２の電源を入力するためのものである。操作ボタン５３，５４，５５は、ユーザーの操作に基づいて対応するコマンドを発生させるためのものである。本実施形態では、表示画面としてカラー液晶ディスプレイ５１が用いられているので、そのバックライトにより暗所においても十分な明るさで表示することができ、カラー液晶ディスプレイ５１を照明する別途の光源は必要ない。
【００１８】
挿入口１３は、バイオセンサ１１の測定電極３３，３７および検知電極３９と電気的に接続される端子が配置されている（図には示されていない）。挿入口１３の形状は、特に限定されるものではないが、図１に示されるように、装置本体１２をカラー液晶ディスプレイ５１が配置された面を正面として視た場合の下辺において、切り欠き形状が形成されてなると、挿入口１３に挿入したバイオセンサ１１を安定的に固定できる点で好ましい。光源１４は、挿入口１３である切り欠き形状の周縁に沿って設けられることにより、挿入口１３の位置がより目立ちやすい上に、意匠的な美観にも優れた装置本体１２となる。
【００１９】
光源１４は、挿入口１３の周囲を照明するための手段である。光源１４は、工業的に使用されるものであれば、特に限定されるものではなく、主に白熱電球またはＬＥＤを用いることができるが、装置本体１２が発熱せず、消費電力量が少ないという観点から、ＬＥＤが好ましい。光源１４には、電源から電力が供給される。光源１４の点灯及び消灯は、制御基板において制御される。
【００２０】
制御基板は、電源ボタン５２が押下されると、測定装置１０の電源をオンにすると共に、光源１４を点灯する。光源１４が点灯することによって、ユーザーは、バイオセンサ１１を挿入すべき挿入口１３を容易に認識することができる。
【００２１】
挿入口１３にバイオセンサ１１が挿入され、吸引路４１に生体試料が吸引されると、検知電極３９が生体試料を検知する。検知電極３９が生体試料を検知すると、制御基板は、光源１４を消灯する。光源１４が消灯することにより、カラー液晶ディスプレイ５１のみが明るい状態となるため、測定結果を表示したカラー液晶ディスプレイ５１に注目させることができる点でも優位な効果を示す。
【００２２】
なお、光源１４の光度はユーザーが直視しても支障がない程度に緩和されるよう、光源１４の周囲は半透明樹脂で保護することが好ましい。半透明樹脂は、工業的に使用される樹脂であれば、特に限定されるものではなく、例えば、ポリプロピレン、ポリカーボネート、アクリル樹脂およびエポキシ樹脂などを使用することができる。光源１４の光度の緩和の度合いは、光源１４自体の光度の強弱や半透明樹脂の種類・厚さによって調整される。
【００２３】
ところで、一般的にＬＥＤは、半導体、電極および封止材より構成される。封止材とは、半導体および電極の汚染を防止するための部材であり、一般的には透明樹脂で形成される。本発明は、一般的なＬＥＤ、つまり、封止材が透明樹脂で形成されたＬＥＤの周囲を半透明樹脂で保護する態様だけでなく、封止材として半透明樹脂を採用することにより、挿入口１３の一部を形成する態様であってもよい。
【００２４】
［測定装置１０の使用方法］
以下、測定装置１０を用いて血中グルコース濃度（血糖値）を測定する場合を一例として、測定装置１０の使用方法が説明される。
【００２５】
ユーザーは、血中グルコース濃度の測定に際して、装置本体１２の電源ボタン５２を押下し、電源をオンにする。すると、装置本体１２の挿入口１３における光源１４が点灯し、装置本体１２における挿入口１３の位置が暗所であっても容易に把握することができるようになる。なお、カラー液晶ディスプレイ５１には起動画面が表示される。
【００２６】
ユーザーは、装置本体１２の挿入口１３にバイオセンサ１１を差し込む。次いで、ユーザーは、指などから採取した微量の血液を、希釈することなく、バイオセンサ１１の吸引路４１に吸引させる。吸引路４１において、血液が測定電極３３，３７および検知電極３９に接触すると、測定電極３３，３７としての作用極または対極と、検知電極３９の間の導電状態が変化する。制御基板は、この導電状態の変化によって、バイオセンサ１１に血液が導入されたと判断し、挿入口１３における光源１４を消灯する。もはや、ユーザーが装置本体１２における挿入口１３の位置や挿入口１３に装着されたバイオセンサ１１の吸引路４１の位置を把握する必要がないからであり、これ以上、挿入口１３周辺を光源１４で照らすことは電力の無駄になるからである。
【００２７】
バイオセンサ１１に血液が導入されたと判断された後、電圧印加手段は測定電極３３，３７に所定の電位を印加する。これにより、測定電極３３，３７間に血中グルコース濃度に応じた酸化応答電流が流れる。このようにして測定電極３３，３７間に流れた酸化応答電流に基づいて、電流測定手段は血中グルコース濃度を演算し、その結果をカラー液晶ディスプレイ５１に表示する。
【００２８】
測定が終了すると、ユーザーは、装置本体１２からバイオセンサ１１を抜き取って廃棄する。ユーザーが、電源ボタン５２を再び押下すると、装置本体１２の電源がオフとなる。また、測定結果がカラー液晶ディスプレイ５１に表示された後、予め定められた時間内に電源ボタン５２や操作ボタン５３，５４，５５が押下されなければ、制御基板は装置本体１２の電源をオフにする。
【符号の説明】
【００２９】
１０  測定装置
１１  バイオセンサ
１２  装置本体
１３  挿入口
１４  光源
３３，３７  測定電極
３９  検知電極
４１  吸引路
５０  筐体
５１  カラー液晶ディスプレイ
５２  電源ボタン
５３，５４，５５  操作ボタン
【図１】
0006455425.tif 000002